(57)【特許請求の範囲】
【請求項１】
カメラボデイと、
前記カメラボデイに設けられ、入射する被写体光を接眼レンズに導くファインダー光学系を構成するペンタプリズムと、
前記ペンタプリズムと前記カメラボデイにまたがって少なくとも２分割構造で設けられ、分割部が前記ペンタプリズムのダハ面上に位置されるように設けられ、前記分割部には互いに電気的接続を行う電気接続構造を有する第１および第２の回路基板と、
前記カメラボディに対して前記ペンタプリズムの位置調整を行う調整部を有する位置調整機構とを備え、
前記第１および第２の回路基板はそれぞれフレキシブルプリント基板であり、前記ダハ面上で互いに一部重なり合って前記分割部を形成し、
前記分割部で第１および第２の回路基板を分離可能に構成し、前記分割部で前記第１および第２の回路基板を分離した際に前記調整部が露出するようにしたことを特徴とする一眼レフカメラ。
【請求項２】
請求項１に記載の一眼レフカメラにおいて、
前記分割部は、当該分割部で前記回路基板を電気的に接続すると、機械的にも結合されることを特徴とする一眼レフカメラ。
【請求項３】
請求項１に記載の一眼レフカメラにおいて、
前記分割部は、回路基板同士を接続するコネクタであることを特徴とする一眼レフカメラ。
【請求項４】
請求項１〜３のいずれかの項に記載の一眼レフカメラにおいて、
前記第１の回路基板は、前記カメラボディの上部を側方から前記ペンタプリズムに向かって左右方向に延在し、さらに前記ペンタプリズムのダハ面に沿って前記ペンタプリズムのダハ面上部をまたぎ、前記ペンタプリズムのダハ面上部をまたいだ先のダハ面上まで延在することを特徴とする一眼レフカメラ。
【発明の詳細な説明】
【０００１】
【発明の属する技術分野】
本発明は、ペンタプリズムを有する一眼レフカメラに関する。
【０００２】
【従来の技術】
ペンタプリズムを有する一眼レフカメラは、ＣＰＵや多くの電気部品を搭載するために、大きな実装面積が必要である。そこで、フレキシブルプリント基板がペンタプリズムを挟んで両側にも配置されている（特許文献１参照）。
【０００３】
【特許文献１】
特開平８−２３４２８９号公報
【０００４】
【発明が解決しようとする課題】
このフレキシブルプリント基板は、ペンタプリズムの左右に配設されている他の基板などとも接続されるため、ペンタプリズムのダハ面上部をまたぐように配設される。そのため、カメラの前ボディと後ボディとを結合した後には、前ボディと後ボディとの結合を解くことなくファインダー光学系のユニットであるプリズムボックスを露出させてペンタプリズムの位置調整を行うことは困難であった。
【０００５】
本発明は、前ボディと後ボディとの結合を解くことなくペンタプリズムを露出することができる一眼レフカメラを提供する。
【０００６】
【課題を解決するための手段】
請求項１に記載の一眼レフカメラは、カメラボデイと、前記カメラボデイに設けられ、入射する被写体光を接眼レンズに導くファインダー光学系を構成するペンタプリズムと、
前記ペンタプリズムと前記カメラボデイにまたがって少なくとも２分割構造で設けられ、分割部が前記ペンタプリズムのダハ面上に位置されるように設けられ、前記分割部には互いに電気的接続を行う電気接続構造を有する第１および第２の回路基板と、前記カメラボディに対して前記ペンタプリズムの位置調整を行う調整部を有する位置調整機構とを備え、
前記第１および第２の回路基板はそれぞれフレキシブルプリント基板であり、前記ダハ面上で互いに一部重なり合って前記分割部を形成し、前記分割部で第１および第２の回路基板を分離可能に構成し、前記分割部で前記第１および第２の回路基板を分離した際に前記調整部が露出するようにしたことを特徴とする。
【０００７】
【発明の実施の形態】
図１〜７を参照して、本発明による一眼レフカメラの実施の形態を説明する。なお、本実施の形態では、カメラの前後左右および上下方向を各図に記載したように規定する。図１は、本実施の形態の一眼レフカメラボディＣＢを主要な構成部分に分解した状態で一眼レフカメラボディＣＢの斜め後から見た斜視図である。一眼レフカメラＣＢは、前ボディ１００と後ボディ２００と上カバー３００とを有する。前ボディ１００は、主に前板１０４とＬ基板１０７とＩ基板１０８とから構成される。前板１０４には、ファインダー光学系のユニットであるペンタプリズム１０１と接眼レンズ１０２とを搭載したプリズムボックス１０３が取り付けられ、Ｌ基板１０７とＩ基板１０８とから構成される空間には、露光時に回動可能なメインミラー１０９と、メインミラー１０９により分岐した光を自動焦点検出モジュール１１１に導光するためのサブミラー１１０とが設けられている。自動焦点検出モジュール１１１はＬ基板１０７の下部に不図示のビスで固定されている。
【０００８】
図２は、図１に示した前ボディ１００を詳しく図示した斜視図であり、前ボディ１００と結合された後ボディ２００の一部分を２点鎖線で表している。図３（ａ）は後ボディ２００と結合された前ボディ１００をカメラの前方から見た図であり、前ボディ１００の一部を省略している。図３（ｂ）は、前板１０４とプリズムボックス１０３の接続部分の拡大図である。また、図４は、後ボディ２００と前ボディ１００とを結合した状態で、カメラの左側方から見た一眼レフカメラボディＣＢの断面図である。
【０００９】
図３（ａ）および図４に示すように、プリズムボックス１０３には、メインミラー１０９からの像が結像するフォーカシングスクリーン１３２と、ファインダー視野の大きさを決定する視野枠１３１とが、ペンタプリズム１０１および接眼レンズ１０２とともに搭載されている。視野枠１３１はペンタプリズム１０１の下部とプリズムボックス１０３との間に固定されている。フォーカシングスクリーン１３２は、プリズムボックス１０３の下面にスクリーン押さえ枠１３３によって固定されている。フォーカシングスクリーン１３２の上面は焦点面１３２ａであり、メインミラー１０９により反射された像が結像する面である。
【００１０】
メインフレキシブルプリント基板（以下メインＦＰＣと呼ぶ）１２１は、前ボディ１００の上部を右側からペンタプリズム１０１の上部をまたいでペンタプリズム１０１の左側のダハ面１０１ａまで配設されている。メインＦＰＣ１２１には、各種信号を処理するＣＰＵ１２３と液晶表示部１２４と液晶ドライバ１２５とが実装されている。メインＦＰＣ１２１の左端部にはコネクタ端子１２２ａが設けられており、後述するサブフレキシブルプリント基板１１３に設けられたコネクタ端子１２２ｂと接続される。なお、コネクタ端子１２２ａと１２２ｂとによりコネクタ１２２を構成する。図５は、後ボディ２００と結合された前ボディ１００の前部の一部分をカメラの右側から見た図である。図３（ａ）および図５に示すように、メインＦＰＣ１２１の右前方端部の圧接部１２６は後ボディ２００に搭載されたフレキシブルプリント基板２０１の圧接部２０２に固定される。
【００１１】
一眼レフカメラボディＣＢを後ろから見た場合、サブフレキシブルプリント基板（以下サブＦＰＣと呼ぶ）１１３は、前ボディ１００の下部から左側面を経由してペンタプリズム１０１の左側のダハ面１０１ａまで配設されている。サブＦＰＣ１１３の上端には、コネクタ端子１２２ｂが設けられている。上述のように、サブＦＰＣ１１３は、コネクタ端子１２２ｂをメインＦＰＣ１２１のコネクタ端子１２２ａと接続することで、メインＦＰＣ１２１と電気的および機械的に接続される。サブＦＰＣ１１３は、サブＦＰＣ１１３の下端に設けられたコネクタ１１４によってフレキシブルプリント基板（以下ＦＰＣと呼ぶ）１１２に接続されており、ＦＰＣ１１２を介して自動焦点検出モジュール１１１に接続されている。
【００１２】
後ボディ２００には、露光される画面サイズを決定するアパーチャ部材２３６が設けられている。アパーチャ部材２３６にはアパーチャ開口２３６ａが設けられており、このアパーチャ開口２３６ａの直後に撮影フィルム２３５が配置される（図４）。
【００１３】
図６は、プリズムボックス１０３を取り付けた状態で、前ボディ１００をカメラ上部から見た図である。図６に示すように、プリズムボックス１０３は、ペンタプリズム１０１を中央にしてカメラ左右に前後２箇所ずつ、計４箇所の取り付け穴１０３ａが設けられている。図３（ｂ）に示すように、プリズムボックス１０３は、取り付け穴１０３ａにビス１０５を通して、調整ワッシャー１０６を挟んで前板１０４に固定される。図４に示す、レンズマウント１３５からフォーカシングスクリーン１３２の焦点面１３２ａまでの距離Ｌ２＋Ｌ３は、レンズマウント１３５からフィルム面２３５までの距離Ｌ１と一致しなくてはならない。特にマニュアルでピント合わせを行う頻度が高いカメラでは、距離Ｌ２＋Ｌ３と距離Ｌ１とを精度よく合致させる必要がある。そのため、プリズムボックス１０３の高さ位置（カメラ上下方向の位置）を、図３（ｂ）に示す調整ワッシャー１０６の厚みや枚数を変更することで、メインミラー１０９からフォーカシングスクリーン１３２までの距離Ｌ３が調整可能である。また、画面サイズを決定するアパーチャ部材２３６のアパーチャ開口部２３６ａとファインダー視野のずれ（視差）をなくすために、視野枠１３１を固定しているプリズムボックス１０３全体を水平方向（カメラ前後左右方向）に移動して視差調整を行う必要がある。そのため、プリズムボックス１０３の取り付け穴１０３ａの径をビス１０５の径より大きくして、前板１０４に対するプリズムボックス１０３の水平位置を調整可能としている。
【００１４】
上述したプリズムボックス１０３の位置調整は、前ボディ１００に後ボディ２００を結合する前に行われるが、前ボディ１００に後ボディ２００を結合した際、プリズムボックス１０３に不所望の力が作用して、距離Ｌ２＋Ｌ３が変化する恐れがある。そこで、上述したプリズムボックス１０３の位置調整は、前ボディ１００に後ボディ２００を結合した後にも可能であることが望ましい。
【００１５】
本実施の形態の一眼レフカメラボディＣＢでは、ペンタプリズム１０１のダハ面１０１ａ，１０１ｂを覆うように配設されたメインＦＰＣ１２１およびサブＦＰＣ１１３を接続するコネクタ１２２を外すと、プリズムボックス１０３が露出するので、プリズムボックス１０３の位置調整が可能である。また、プリズムボックス１０３を容易に取り外すことができるので、ファインダー光学系のクリーニングも可能である。なお、メインＦＰＣ１２１の右前方端部の圧接部１２６は、後ボディ２００に搭載されたフレキシブルプリント基板２０１の圧接部２０２に固定されているため、メインＦＰＣ１２１の右側端部は容易に動かすことができない。また、サブＦＰＣ１１３の下端は後ボディ２００が被さった状態である。このため、前ボディ１００に後ボディ２００を結合した状態では、コネクタ１２２を外さなければ、プリズムボックス１０３を露出させることはできない。
【００１６】
メインＦＰＣ１２１およびサブＦＰＣ１１３を接続するコネクタ１２２は、図７に示すような、基板対基板用のものである。このコネクタ１２２は、多くの電極が狭いピッチで多数配設されており、小型であるが多数の配線が接続可能である。オス型の端子１２２ａのピン１２２ｃおよびメス型の端子１２２ｂのピン１２２ｄは、メインＦＰＣ１２１およびサブＦＰＣ１１３の回路にそれぞれハンダ付けされて固定される。コネクタ１２２は、メインＦＰＣ１２１に取り付けられたオス型の端子１２２ａと、サブＦＰＣ１１３に設けられたメス型の端子１２２ｂとを嵌合するだけで、電気的および機械的に接続できる。また、特別な冶具などを用いずに、嵌合しているオス型の端子１２２ａとメス型の端子１２２ｂとの接続を外すことができる。
【００１７】
本発明による一眼レフカメラでは、次の作用効果を奏する。
（１）  ペンタプリズム１０１のダハ面１０１ａ，１０１ｂをまたいで配設されるメインＦＰＣ１２１およびサブＦＰＣ１１３とを接続するコネクタ１２２をダハ面１０１ａ上の各ＦＰＣ１２１，１１３に設けた。したがって、コネクタ１２２を外すことで、前ボデイと後ボデイとを結合したままで、ペンタプリズム１０１を搭載するプリズムボックス１０３を露出させることができる。これにより、カメラボディの組立状態で、ファインダー光学系のクリーニングやプリズムボックス１０３の位置調整を容易に行うことができ、調整コストを抑えるとともに光学性能を確保することができる。
（２）  ペンタプリズム１０１のダハ面１０１ａ，１０１ｂをまたいで配設される基板はフレキシブルプリント基板である。これにより、１箇所のコネクタ１２２を外すだけでプリズムボックス１０３を露出させることができ、プリズムボックス１０３の位置調整が容易である。
（３）  コネクタ１２２だけでＦＰＣ１２１，１１３同士を電気的にも機械的にも接続できる。これにより他に接続部材を必要としないので、部品点数が減り、コストが低く、他の部品の実装スペースが確保できる。
（４）  コネクタ１２２に基板対基板用のものを用いている。これにより、コネクタ１２２が小型のもので済むため、電気的および機械的な接続の信頼性が高く、省スペースである。
【００１８】
上述の説明では、一眼レフカメラＣＢは、銀塩フィルムを用いるものであったが、本発明はこれに限らない。銀塩フィルムの替わりにＣＣＤ素子などにより撮像を行うデジタルカメラであってもよく、ペンタプリズムを有するカメラであれば、本発明は上述の作用効果を奏する。
【００２０】
以上の実施の形態およびその変形例において、たとえば、位置調節機構は、穴１０３ａとビス１０５と調整ワッシャー１０６とによって実現される。分割部は、コネクタ１２２に対応する。また、第１および第２の回路基板は、それぞれメインＦＰＣ１２１およびサブＦＰＣ１１３に対応する。さらに、本発明の特徴的な機能を損なわない限り、本発明は、上述した実施の形態における機器構成に何ら限定されない。
【００２１】
【発明の効果】
本発明によれば、前ボディと後ボディとの結合を解くことなくペンタプリズムを露出させることができる。
【図面の簡単な説明】
【図１】  本実施の形態の一眼レフカメラボディＣＢを主要な構成部分に分解した状態で斜め後から見た斜視図である。
【図２】  図１に示した前ボディ１００を詳しく図示した斜視図である。
【図３】  図３（ａ）は、後ボディ２００と結合された前ボディ１００をカメラの前方から見た図であり、図３（ｂ）は、前板１０４とプリズムボックス１０３の接続部分の拡大図である。
【図４】  後ボディ２００と前ボディ１００とを結合した状態で、カメラの左側方から見た一眼レフカメラボディＣＢの断面図である。
【図５】  後ボディ２００と結合された前ボディ１００の前部の一部分をカメラの右側から見た図である。
【図６】  プリズムボックス１０３を取り付けた状態で、前ボディ１００をカメラ上部から見た図である。
【図７】  コネクタ１２２を示す斜視図である。
【符号の説明】
１００  前ボディ                    １０１  ペンタプリズム
１０２  接眼レンズ                  １０３  プリズムボックス
１０３ａ  穴                        １０４  前板
１０５  ビス                        １０６  調整ワッシャー
１１３  サブフレキシブルプリント基板
１２１  メインフレキシブルプリント基板
１２２  コネクタ                    ２００  後ボディ
３００  上カバー
【図１】
0004314855.tif 000002
【図２】
0004314855.tif 000003
【図３】
0004314855.tif 000004
【図４】
0004314855.tif 000005
【図５】
0004314855.tif 000006
【図６】
0004314855.tif 000007
【図７】
0004314855.tif 000008